(57)【要約】【課題】  パッケージの密閉性、およびＰＬＣ（特に、光学タップ）とそれぞれの光検出器との間の光学的結合の品質を犠牲にすることなく、密閉配置の光学データ通信のためのパッケージング配置の費用を低減すること。【解決手段】  光学回路アセンブリであって、以下：  光学入力ポートの固定アレイ、  空洞を規定する、光検出器基材、  光検出器アレイであって、該空洞内に取り付けられ、そして少なくとも１つの光学シグナルを該入力ポートの固定アレイから受信するために配置された、光検出器アレイ、および  面板であって、該面板が、複数の実質的に平行な光ファイバーコアを含み、該面板が、平面光波回路と該光検出器との間で光学的に結合され、そして該コアの少なくともいくらかが入力ポートおよび光検出器アレイと整列するように配置される、面板、を備え、  ここで、該面板が、該空洞の封鎖カバーを規定するように配置および寸法決めされる、光学回路アセンブリ。【選択図】  図３
2004252454.tif 000002
【特許請求の範囲】
【請求項１】
光学回路アセンブリであって、以下：
光学入力ポートの固定アレイ、
空洞を規定する、光検出器基材、
光検出器アレイであって、該空洞内に取り付けられ、そして少なくとも１つの光学シグナルを該入力ポートの固定アレイから受信するために配置された、光検出器アレイ、および
面板であって、該面板が、複数の実質的に平行な光ファイバーコアを含み、該面板が、該固定アレイと該光検出器との間で光学的に結合され、そして該コアの少なくともいくらかが入力ポートおよび光検出器アレイと整列するように配置される、面板、
を備え、
ここで、該面板が、該空洞の封鎖カバーを規定するように配置および寸法決めされる、光学回路アセンブリ。
【請求項２】
請求項１に記載の光学回路アセンブリであって、前記固定アレイが、平面光波回路（ＰＬＣ）、液晶ディスプレー、およびダイオードレーザーアレイからなる群より選択される、光学回路アセンブリ。
【請求項３】
平面光波回路アセンブリであって、以下：
平面光波回路（ＰＬＣ）であって、光シグナルが通って伝播するための少なくとも１つの導波管、およびＰＬＣからの該光シグナルの少なくとも一部を方向付けるために配置された出力ポートを備える、平面光波回路、
空洞を規定する、光検出器基材、
光検出器アレイであって、該空洞内に取り付けられ、そして該光学シグナルの少なくとも一部を該出力ポートから受信するために配置された、光検出器アレイ、および
面板であって、該面板が、複数の実質的に平行な光ファイバーコアを含み、該面板が、該平面光波回路と該光検出器との間で光学的に結合され、そして該コアの少なくとも１つが出力ポートおよび光検出器と整列するように配置される、面板、
を備え、
ここで、該面板が、該空洞の封鎖カバーを規定するように配置および寸法決めされる、平面光波回路アセンブリ。
【請求項４】
請求項３に記載のアセンブリであって、前記ＰＬＣが、前記面板に対して平行に配置される、アセンブリ。
【請求項５】
請求項４に記載の平面光波回路アセンブリであって、前記平面光波回路が、主面を規定し、そして前記導波管において伝播する光シグナルの少なくとも一部を、該主面に対して横方向に結合するように配置された少なくとも１つの光学タップを備える、平面光波回路。
【請求項６】
請求項３に記載の平面光波回路アセンブリであって、前記平面光波回路が、前記面板に対して横方向に配置された主面を規定し、そして出力ポートが、該主面の縁部に配置される、平面光波回路アセンブリ。
【請求項７】
請求項５に記載のアセンブリであって、各光学タップが、少なくとも１つの反射面を有するＶ字型溝を含む、アセンブリ。
【請求項８】
請求項３に記載のアセンブリであって、前記空洞を封鎖するために、前記面板と前記光検出器基材との界面に、封鎖合金が配置される、アセンブリ。
【請求項９】
請求項３に記載のアセンブリであって、前記ＰＬＣが、該ＰＬＣと前記光検出器アレイとの間で自由空間光学結合を可能にする距離で、該面板から離れて配置される、アセンブリ。
【請求項１０】
請求項３に記載のアセンブリであって、前記ＰＬＣが前記面板と接触する、アセンブリ。
【請求項１１】
請求項１０に記載のアセンブリであって、光学的に透明な接着剤が、前記ＰＬＣと前記面板との間に配置される、アセンブリ。
【請求項１２】
請求項３〜１１のいずれか一項に記載のアセンブリであって、前記平面光波回路が、あアレイ導波管回折格子（ＡＷＧ）である、アセンブリ。
【発明の詳細な説明】
【技術分野】
【０００１】
本発明は、概して、光学データ通信デバイスに関し、より詳細には、光学遠距離通信のためのパッケージング配置に関し、この配置は、光学入力ポートのアレイ（例えば、平面光波回路）および複数の光検出器を含み、この光学入力アレイは、この光検出器と光学的に結合している。
【背景技術】
【０００２】
平面光波回路（ＰＬＣ）は、光学通信において周知である。これらは、種々の基材上に形成され、導波管（例えば、チャネル導波管）のネットワークを含む。ＰＬＣの例は、Ｎｉｓｈｉｍｕｒａらに対して、２００３年１月１４日に発行された特許文献１に示される。
【０００３】
ＰＬＣアーキテクチャの設計において、タップおよび光検出器を光学伝達チャネル（例えば、チャネル導波管）と適切に一体化することが重要である。Ｎｉｓｈｉｍｕｒａにおいて、光検出器は、ＰＬＣと一体化され、エバネッセント結合のために配置される。
【０００４】
光検出器に入射する（タップから出た）光線の直接的検出のために、光線の経路に光検出器を取り付けることもまた公知である。
【０００５】
混入物（例えば、塵粒、水蒸気、水凝縮物、ダスト、フューム、煙および他の汚染物質）が光検出器の性能に有害に影響し得るので、光検出器を密閉したハウジング内で維持することが重要である。
【０００６】
別々の（すなわち、一体化されていない）光検出器（ＰＤ）またはＰＤアレイを含む平面光波回路の配置を設計する場合、ＰＬＣとＰＤアレイとの間に間隔を提供することもまた望ましい。この間隔は、ＰＬＣと光検出器アレイとの間の直接的な接触を妨げるのに十分であるべきであるが、ＰＬＣからＰＤアレイにタップから出た光線の望ましくない発散を避けるように過剰であるべきではない。現在の実施形態は、視準プレートと光検出器アレイとの間に２００μｍの間隔を使用する。これによって、光が、代表的に８０μｍの直径である光検出器要素の大部分を満たすことができる。光は、１２°の発散角度で、約８μｍの直径で導波管から出る。視準プレートと光検出器との間の間隔によって、光は、６０μｍのスポットに発散し、従って、光検出器要素の大部分を満たす。これらの寸法は、選択された光検出器要素の直径に依存して変化し得る。選択された要素の公称直径に関わりなく、光検出器要素の少なくとも大部分を満たすことが常に望ましい。視準プレートと光検出器アレイとの間隔の第２の利点は、その間隔によって、視準プレートの外側表面による機械的応力が、光検出器アレイへと妨害されることを妨げることである。
【０００７】
ＰＤアレイがＰＬＣの一体化部分でない配置の場合、ＰＬＣ配列全体（すなわち、タップおよび光検出器アレイを有するＰＬＣ）を取り囲むケーシングを設計することによって、密閉性の要件が満たされ得る。しかし、これは、比較的費用のかかる解決法である。パッケージの密閉性、およびＰＬＣ（特に、光学タップ）とそれぞれの光検出器との間の光学的結合の品質を犠牲にすることなく、上記型の密閉配置の費用を低減することが望ましい。
【０００８】
先行技術は、光学的導波管と光検出器との間の結合についての種々の例を含む。Ｎｏｒｔｈｅｒｎ  Ｔｅｌｅｃｏｍに対して、１９９６年１２月１７日に発行された特許文献２は、光ファイバーの平行部分から構成される視準面板を使用して、光ファイバーをパッケージされたデバイスに結合する方法を含む、オプトエレクトロニクスデバイスをパッケージングするための方法およびアセンブリを記載する。
【０００９】
視準面板はまた、例えば、Ｓｐｒａｇｕｅに対する特許文献３；Ｒｏｓｅｎｂｅｒｇらに対する特許文献４；Ｇｉｂｏｎｅｙらに対する特許文献５；Ｇｏｏｓｓｅｎらに対する特許文献６；および２００２年５月１６日に公開された特許文献７に記載されるように、他の配置で使用される。
【特許文献１】米国特許第６，５０７，６８０号明細書
【特許文献２】米国特許第５，５８６，２０７号明細書
【特許文献３】米国特許第６，１６０，６０６号明細書
【特許文献４】米国特許第６，１３７，９２９号明細書
【特許文献５】米国特許第６，３１８，９０９号明細書
【特許文献６】米国特許第５，１７０，４５５号明細書
【特許文献７】国際公開第０２／３９１５５号パンフレット
【発明の開示】
【課題を解決するための手段】
【００１０】
（発明の要旨）
本発明によると、以下の項目１〜１２が提供され、上記目的が達成される。
【００１１】
（項目１）
光学回路アセンブリであって、以下：
光学入力ポートの固定アレイ、
空洞を規定する、光検出器基材、
光検出器アレイであって、該空洞内に取り付けられ、そして少なくとも１つの光学シグナルを該入力ポートの固定アレイから受信するために配置された、光検出器アレイ、および
面板であって、該面板が、複数の実質的に平行な光ファイバーコアを含み、該面板が、該固定アレイと該光検出器との間で光学的に結合され、そして該コアの少なくともいくらかが入力ポートおよび光検出器アレイと整列するように配置される、面板、
を備え、
ここで、該面板が、該空洞の封鎖カバーを規定するように配置および寸法決めされる、光学回路アセンブリ。
【００１２】
（項目２）
項目１に記載の光学回路アセンブリであって、前記固定アレイが、平面光波回路（ＰＬＣ）、液晶ディスプレー、およびダイオードレーザーアレイからなる群より選択される、光学回路アセンブリ。
【００１３】
（項目３）
平面光波回路アセンブリであって、以下：
平面光波回路（ＰＬＣ）であって、光シグナルが通って伝播するための少なくとも１つの導波管、およびＰＬＣからの該光シグナルの少なくとも一部を方向付けるために配置された出力ポートを備える、平面光波回路、
空洞を規定する、光検出器基材、
光検出器アレイであって、該空洞内に取り付けられ、そして該光学シグナルの少なくとも一部を該出力ポートから受信するために配置された、光検出器アレイ、および
面板であって、該面板が、複数の実質的に平行な光ファイバーコアを含み、該面板が、該平面光波回路と該光検出器との間で光学的に結合され、そして該コアの少なくとも１つが出力ポートおよび光検出器と整列するように配置される、面板、
を備え、
ここで、該面板が、該空洞の封鎖カバーを規定するように配置および寸法決めされる、平面光波回路アセンブリ。
【００１４】
（項目４）
項目３に記載のアセンブリであって、前記ＰＬＣが、前記面板に対して平行に配置される、アセンブリ。
【００１５】
（項目５）
項目４に記載の平面光波回路アセンブリであって、前記平面光波回路が、主面を規定し、そして前記導波管において伝播する光シグナルの少なくとも一部を、該主面に対して横方向に結合するように配置された少なくとも１つの光学タップを備える、平面光波回路。
【００１６】
（項目６）
項目３に記載の平面光波回路アセンブリであって、前記平面光波回路が、前記面板に対して横方向に配置された主面を規定し、そして出力ポートが、該主面の縁部に配置される、平面光波回路アセンブリ。
【００１７】
（項目７）
項目５に記載のアセンブリであって、各光学タップが、少なくとも１つの反射面を有するＶ字型溝を含む、アセンブリ。
【００１８】
（項目８）
項目３に記載のアセンブリであって、前記空洞を封鎖するために、前記面板と前記光検出器基材との界面に、封鎖合金（ｓｅａｌｉｎｇ  ａｌｌｏｙ）が配置される、アセンブリ。
【００１９】
（項目９）
項目３に記載のアセンブリであって、前記ＰＬＣが、該ＰＬＣと前記光検出器アレイとの間で自由空間光学結合を可能にする距離で、該面板から離れて配置される、アセンブリ。
【００２０】
（項目１０）
項目３に記載のアセンブリであって、前記ＰＬＣが前記面板と接触する、アセンブリ。
【００２１】
（項目１１）
項目１０に記載のアセンブリであって、光学的に透明な接着剤が、前記ＰＬＣと前記面板との間に配置される、アセンブリ。
【００２２】
（項目１２）
項目３〜１１のいずれか一項に記載のアセンブリであって、前記平面光波回路が、あアレイ導波管回折格子（ＡＷＧ）である、アセンブリ。
【００２３】
本発明に従って、光学入力ポートの固定アレイ（例えば、平面光波回路（ＰＬＣ）、液晶ディスプレーまたはダイオードレーザーアレイ）を含むパッケージ配置が提供される。アレイがＰＬＣである実施形態において、ＰＬＣは、導波管のアレイを有する少なくとも１つの主面を規定する。導波管のアレイはまた、ＰＬＣから、ＰＬＣを伝播する光線またはそれらの一部分を結合するための、１つ以上の出力ポート（例えば、光学タップまたは等価な光偏向手段）を含む。
【００２４】
本発明のパッケージは、さらに、出力ポートによって、アレイ（例えば、ＰＬＣ）から結合された光線を受容するために光検出器基材上に配置された光検出器のアレイ、および出力光線をそれぞれの光検出器に結合するためにＰＬＣと光検出器のアレイとの間に延びる視準面板を備える。面板は、光検出器基材とともに、光検出器を取り囲む密閉空洞を形成するように寸法決めおよび構成される。
【００２５】
定義「固定アレイ」は、光ファイバーの緩い束とは対照的に、アレイの構成要素（例えば、レーザーダイオード、またはＰＬＣの導波管出力）間に所定の空間的関係を有する永久アレイを示す。
【００２６】
入力ポートの固定アレイがＰＬＣである本発明の１つの実施形態において、面板は、平面であり、ＰＬＣは、その面板と同一平面に配置され（すなわち、面板の１つの表面と隣接したその主面を有する）、一方、面板の対向する面は、ＰＬＣにおいて、光検出器に伝播する光線（またはそれらの一部）の結合のために光検出器に面するように配置される。
【００２７】
本発明の別の実施形態において、ＰＬＣは、面板に対して横方向に（すなわち、ＰＬＣの側壁が面板に面する）配置される。
【００２８】
ＰＬＣは、面板から、好ましくは、ＰＬＣから光検出器への光シグナルの結合を損なわない距離だけ離れて配置され得る。あるいは、ＰＬＣは、直接的にまたは光透過性接着剤（例えば、屈折率の一致した（ｉｎｄｅｘ−ｍａｔｃｈｅｄ）エポキシ接着剤）を使用する接着接合を用いて、面板と接触し得る。
【００２９】
ＰＬＣは、公知のアレイ導波管回折格子（ＡＷＧ）モジュールによって具体化され得る。
【００３０】
面板の透明なコアを通って光検出器アレイに光学エネルギーが到達することができながら、面板および検出器キャリアが密閉空洞を形成し得ることが、本発明の特徴である。従って、面板は、自由空間または直接的結合のいずれかを介して、ＰＬＣからの視準された光の伝達のための透明性も提供しながら、経済的な様式で（ＰＬＣ回路全体を覆う密閉の囲いを必要とすることなく）、封鎖機能を提供する。
【００３１】
ここで、本発明は、図面とともに、以下の説明によってより詳細に記載され、図面において、類似の参照番号は、類似の要素を表す。
【００３２】
（発明の詳細な説明）
最初に図１（先行技術）を見ると、代表的な平面光波回路（ＰＬＣ）１０が概略的に示される。ＰＬＣは、平面基材１２、複数の入力チャネル導波管１４ａ〜１４ｎおよび複数の出力チャネル導波管１６ａ〜１６ｎを有する。それぞれの入力導波管は、５％〜９５％のカプラー１８（出力導波管１６ａ〜１６ｎへと延びる９５％アーム、および複数の５％アーム２０を規定する）を備える。それぞれのカプラーの５％アーム２０は、タップ２２で終結する。タップは、５％アーム２０において伝播する光線の伝播軸に対してある角度（約４５°）で配置される、金属鏡面によって形成される。
【００３３】
タップ２２は、例えば、導波管に角度の付いた反射面をエッチングにより作製し、続いて、スパッタリングプロセスを使用して反射面上に金を堆積することによって作製され得る。
【００３４】
本発明の実施形態において、タップは、クラッディングおよびコアを通して４５°のノッチのＲＩＥ（反応性イオンエッチング）によって作製され、続いて、ノッチの反対側面に反射性金属コーティングを堆積し、このようにして光を視準面板に方向付けるための反射性表面を作製する。
【００３５】
あるいは、タップは、以下に記載されるように、検出される、ＰＬＣからそれぞれの導波管において伝播する光の所定部分を結合するために、チャネル導波管において伝播する光学ビームの経路においてある角度（例えば、４５°）で提供される、部分的に透明、部分的に反射性の鏡面によって実現され得る。
【００３６】
鏡面は、平面基材においてそれぞれの導波管の経路を横切って提供される溝（例えば、Ｖ字型溝）に取り付けられ得る。
【００３７】
ここで、図２を見ると、従来の視準面板が示される。当該分野で周知なように、機能的に、面板は、直径約３〜１０μｍの複数のガラスファイバーコア３０（または別の透明材料のファイバーコア）であり、コアは、比較的高い数の開口（ａ  ｒｅｌａｔｉｖｅｌｙ  ｈｉｇｈ  ｎｕｍｅｒｉｃａｌ  ａｐｅｒｔｕｒｅ）を有し、コアに対するクラッディングとして役立つ透明、部分的に透明、または不透明な材料３２に埋め込まれる。コア３０の屈折率は、コア３０に入る任意の光の全反射を可能にするために、クラッディング材料の屈折率よりも高いべきである。
【００３８】
図２Ａは、コア３０を示す影付きの領域およびコア３０間のクラッディング領域３２を有する面板の主面４０を示す、図２の面板の平面図を示す。
【００３９】
本発明のパッケージ配置の実施形態が、図３に示される。セラミック光検出器キャリア５０（その前壁なしで示される）は、市販のＩｎＧａＡｓ光検出器アレイ５２を収容する。アレイは、関連する平面光波回路５４上のタップ（図３には示さない）の数に対して、少なくとも数において対応する複数の別々の光ダイオードを有する。回路５４の上側主面は、キャリア５０の壁によって規定される空洞に沿って延び、そして視準面板５６によって空洞から分離されている。面板５６（約１．２ｍｍの厚み）は、キャリア５０の底壁５８と少なくとも同じように延び、そしてキャリア５０の空洞６０に対して封鎖されたカバーを提供するように、壁５８に一致する形状を有する。最も簡単な実施形態において、面板は、空洞に面する平面を有し、そしてキャリア５０の底壁５８は、平面を規定するが、他の表面の構成もまた、実現可能であり、但し、面板５６は、空洞６０に対する封鎖カバーを提供するために、底壁に一致している。
【００４０】
面板は、既知の技術のいずれかに従って、例えば、米国特許第６，１６０，６０６号（Ｓｐｒａｇｕｅ）により、製造され得る。
【００４１】
光検出器アレイ５２を収容する空洞６０は、空気または別の気体（例えば、不活性気体）で満たされ得、そして上で説明されるように、光検出器アレイの機能を危うくする有害な混入物を含むべきではない。
【００４２】
平面光波回路５４は、図１に示されるように多くのチャネル導波管を備える。１つのみの導波管部分（アーム）２０が、図３に概略的に示される。Ｖ字型溝７０は、アーム２０の経路において、ＰＬＣ５４をエッチングすることによって形成される。Ｖ字型溝の左側壁は、透過性であるが、一方右側壁（アーム２０の伝播軸に対して４５°に配置される）は、金属層７３のスパッタリングによって形成される反射面を有する。このように、導波管アーム２０において左から伝播する光は、Ｖ字型溝の左壁を通過し、そしてＶ字型溝の右壁から上に（すなわち、面板５４のコア領域７２（想像線で示される）を介して光検出器アレイに向かって）反射する。
【００４３】
あるいは、光が通常導波管から出る、導波管の出力面（縁部）上に反射性コーティングを適用することが可能である。これは、導波管によって形成される元の光学経路を通って戻る光を生じる。視準光検出器パッケージが配置され得る導波管の入力部近くに５０％スプリッターが適用され得る。
【００４４】
本発明の例示的な仕上げＰＬＣパッケージまたはアセンブリは、図４に概略的に示される。光検出器キャリアに対する面板のより効果的な封鎖のために、従来の封鎖化合物または合金（例えば、公知のＡｕ／Ｓｎ合金）が、面板５６とキャリア５０の一致する面に適用され得る。このように、光検出器アレイ５２は、空洞６０内に封鎖され、その電気的リード線（図示しない）は、密閉シールに影響しない様式で配置される。
【００４５】
図４に示されるアセンブリの構成要素は、図４において、破線で示されるように、面板から光検出器に向かって出る光の不可避な発散の効果を制限するために、面板５６と光検出器５２との間の間隔が小さい（例えば、約０．２ｍｍ）ような寸法にされる。他方で、この間隔は、面板と光検出器との間の封鎖を失うことおよび光検出器に対する損傷という可能性と関連する、面板と光検出器との間の接触の危険を軽減するために小さすぎるべきではない。
【００４６】
ＰＬＣ５４は、面板のコアの屈折率と一致した屈折率を有する接着剤（例えば、公知のＵＶ（エポキシ）接着剤）を使用して、面板５６に確実に取り付けられ得る。接着剤における光損失を最小化するために、約１０μｍ以下の結合線の厚みが使用される。
【００４７】
図５に概略的に示される本発明の代替の実施形態において、ＰＬＣ５４は、図４とは異なって配置される。導波管２０を有するＰＬＣ５４の主面は、面板５６の主面８０に対して、横にまたはほぼ直交して（幅広い範囲の角度で）配置され、その結果、ＰＬＣは、面板と、そのＰＬＣの主面よりもその側面で面する。この配置によって、タップを使用することなく、１つ以上の導波管２０の出力端部８２（その端部は、それぞれの導波管の出力ポートを規定する）が、面板５６のそれぞれのコアと、従ってそれぞれの光検出器と整列し得る。図５に示される実施形態において、導波管２０は、導波管の１つを伝播するシグナル全体が、出力端部（ポート）８２を通ってＰＬＣから結合されるように、出力端部（本発明の意味において、入力ポートとして役立つ）で終結する。あるいは、導波管は、全てのカプラーアームがＰＬＣの同じ縁部で終結し得ることを除いて、図１に示されるように、カプラーを有し得る。このような配置は、図６に示され、ここで、図５のＰＬＣ５４は、その主面９２が面板５６に対して垂直に配置されたアレイ導波管回折格子（ＡＷＧ）９０によって示される。光検出器アレイは、９４として概略的に示される。ＡＷＧ（デマルチプレクサーとして配置される）は、入力導波管９６、スラブ導波管９７、アレイ導波管部分９８、スラブ導波管９９および複数の出力光学導波管１００を有する。出力光学導波管、またはこれらのうちの少なくともいくらかは、タップとして働く方向性カプラー１０２を有し、ここで、出力導波管において伝播する光のタップから出た部分は、アレイ９４のそれぞれの光検出器に方向付けられ、一方、残りの光は、デスティネーション（ｄｅｓｔｉｎａｔｉｏｎ）（図示されない）に結合される。デスティネーションは、ＰＬＣの縁部であり得、ここで、光は、ファイバーまたは自由空間光学デバイス（図示しない）に結合される。
【００４８】
視準プレートによって、各光検出器の大部分が、光で満たされる一方で、光を失う点まで過剰に満たすことも、隣接する光検出器要素が単一の供給源からの光を拾い上げることもない。
【００４９】
視準プレートと光検出器との間の間隔は、種々の要素直径を有する光検出器アレイの使用を可能にするように選択され得る。より小さな光検出器のために、より小さな光スポットサイズを作製するように、より狭い間隔が使用され得る。より高い感度が必要とされる光検出器のより大きな要素を満たすために、より大きな間隔が使用され得る。より小さな直径のＰＤ要素は、より低い感度である傾向があるが、より高い速度およびより低い電気ノイズを提供する。
【００５０】
視準プレートの使用は、光検出器要素に向かって方向付けられた光線に影響することなく、高い信頼性の密閉パッケージウィンドウを提供する。視準面板は、過剰なビームの発散またはビームの角度の変化を妨げ、これは、ＰＬＣ回路において複数の導波管から出る光をモニタリングする目的のために設計された光検出器アレイのパッケージにおいて重要な利点である。
【００５１】
視準面板はまた、光検出器アレイに対する自由空間光学的結合（ここで、ＰＬＣへの直接的結合は、選択肢ではない）を可能にし得る。これは、視準面板を光検出器アレイに非常に密接（例えば、数μｍ〜数百μｍの範囲）であるが、接触させずに配置することによってなされ得る。次いで、２００μｍまでの間隔が、視準プレート（パッケージ）の外側表面と自由空間光源との間に許容され得る。この間隔は、本明細書中において上記される調節技術に類似した方法で、光検出器要素の直径を一致させるために調整されなければならない。上記のように、本発明は、光学入力ポートの種々のアレイ（例えば、液晶ディスプレー（ＬＣＤ）またはレーザーダイオード（ＬＤ）アレイ）に適用可能である。図５は、概略的に、必要な変更を加えて、このような他の配置を示し、ここで、要素５４は、光学入力ポートの特定の固定アレイを表す。
【００５２】
本発明は、光検出器に対する厄介なファイバーのピグテール化を排除する。面板による視準によってＰＤアレイにおける発散を制御することによって、ＰＤアレイにおける光検出器の間隔は、関連するＰＬＣにおいて密接に間隔を空けて配置されたモニター導波管に適合するように比較的密接であり得る。
【００５３】
もちろん、添付の特許請求の範囲によって規定される本発明の範囲から逸脱することなく、多くの他の実施形態を、当業者が思い付き得る。
【００５４】
光学パッケージ配置は、導波管のアレイを有する平面光波回路（ＰＬＣ）、出力ポートによってＰＬＣから結合される光線を受信するための基材上の光検出器のアレイ、および視準面板（複数のガラスコアを有し、出力光線をそれぞれの光検出器に結合するためにＰＬＣと光検出器アレイとの間に延びる）を組み合わせる。面板は、光検出器を取り囲む密閉空洞のためのカバーを形成する。ＰＬＣは、面板と同一平面に配置されるか、または面板に対して横に配置される。ＰＬＣからの光は、光検出器に結合するために、ＰＬＣ上に形成された複数のタップを介してタップから出る。
【図面の簡単な説明】
【００５５】
【図１】図１は、従来の平面光波回路（ＰＬＣ）の概略平面図である。
【図２】図２は、従来の視準面板の概略断面図である。
【図２Ａ】図２Ａは、図２の視準面板の平面図である。
【図３】図３は、本発明のＰＬＣパッケージングアセンブリの分解断面図である。
【図４】図４は、図３の実施形態の斜視図である。
【図５】図５は、本発明のＰＬＣアセンブリの代替配置を示す。
【図６】図６は、ＰＬＣがアレイ導波管回折格子（ＡＷＧ）である実施形態を示す。
【符号の説明】
【００５６】
２０  アーム
３０  コア
５０  光検出器キャリア
５２  光検出器アレイ
５４  平面光波回路
５６  視準面板
５８  底壁
６０  空洞
７０  Ｖ字型溝
７２  コア領域
７３  金属層
【図１】
2004252454.tif 000003
【図２】
2004252454.tif 000004
【図２Ａ】
2004252454.tif 000005
【図３】
2004252454.tif 000006
【図４】
2004252454.tif 000007
【図５】
2004252454.tif 000008
【図６】
2004252454.tif 000009